(57)【要約】【課題】本発明は自動車天井ライナー装飾パネルを開示した。【解決手段】装飾パネルを含み、前記装飾パネルの頂端にはゴムテープが設けられ、前記装飾パネルの右端には下に開口した第一空きチャンバが設けられ、前記第一空きチャンバの左側の内壁には収納チャンバが設けられ、本発明の自動車天井ライナー装飾パネルは、反応が敏感で、機能が豊富で、安全性が堅固で、本発明の装置がシンプルで、科学および技術が豊富で実用性が強い【選択図】図１
2020142780.tif 000002
【特許請求の範囲】
【請求項１】
装飾パネルを含み、前記装飾パネルの頂端にはゴムテープが設けられ、前記装飾パネルの右端には下に開口した第一空きチャンバが設けられ、前記第一空きチャンバの左側の内壁には収納チャンバが設けられ、前記収納チャンバには三組の前後対称的な第一回転軸が回転できるように係合取り付けられ、前記第一回転軸には第一円盤が固定的に設けられ、前記第一円盤の外部表面には摩擦ベルトが固定的に設けられ、前記収納チャンバの中にはスライド板がスライドできるように設けられ、前記スライド板の左端には押しロッドが固定的に設けられ、前記収納チャンバの左端には通常閉型スイッチが固定的に設けられ、通常閉型スイッチ前記押しロッドの前後の端面には外に開口し且つ前記第一円盤に挿し込ませられる凹溝が対称的に設けられ、前記スライド板の底端には液晶モニターパネルが固定的に設けられ、前記スライド板の頂端には第一ラックが固定的に設けられ、前記第一空きチャンバの中には第二回転軸と第三回転軸が回転できるように設けられ、前記第三回転軸は前記第二回転軸の右上に位置し、前記第二回転軸には第一プーリおよび前記第一プーリの後側に位置する第一歯車が固定的に設けられ、前記第一歯車は前記第一ラックと噛み合い、前記第三回転軸には固定ブロックが固定的に設けられ、前記固定ブロックの頂端にはプロジェクターが固定的に設けられ、前記固定ブロックの右端には凸ブロックが固定的に設けられ、前記第一空きチャンバの内頂壁には第一弧形溝が設けられ、前記第一弧形溝の内頂壁にはフリクションシートが固定的に設けられ、前記収納チャンバの頂端には前記第一空きチャンバと連通する第二空きチャンバが設けられ、前記第二空きチャンバの後側端壁には駆動モータが固定的に設けられ、前記駆動モータは第四回転軸が伝動できるように接続され、前記第四回転軸には第二プーリおよび前記第二プーリの後側に位置する扇形歯車が固定的に設けられ、前記第二プーリと前記第一プーリとの間がベルトによって伝動できるように接続され、前記第二空きチャンバの内頂壁には第一スライド溝が設けられ、前記第一スライド溝の中には第一スライダーがスライドできるように設けられ、前記第一スライド溝の右側の内壁には前記第一スライダーと固定的に接続される第一バネが設けられ、前記第一スライダーの底端には第二ラックが固定的に設けられ、前記第二ラックと前記扇形歯車が噛み合い、したがって、第一歯車はスライド板を収納させて押し出させ、同時にプロジェクタを偏向回転させることを特徴とする自動車天井ライナー装飾パネル。
【請求項２】
前記第一空きチャンバの右側の内壁にはＣＮＣブロックが固定的に設けられ、前記ＣＮＣブロックの左側端面には前記第一空きチャンバと連通する第二弧形溝が設けられ、前記ＣＮＣブロックの中には下に開口した第二スライド溝が設けられ、前記第二スライド溝と前記第二弧形溝との間には密封気圧溝が連通して設けられ、前記密封気圧溝の中には押されブロックがスライドできるように設けられ、前記第二スライド溝の中には第二スライダーがスライドできるように密封して設けられ、前記第二スライダーの底端にはプラグが固定的に設けられ、前記第二スライド溝の左側端壁の中には第三スライド溝が設けられ、前記第三スライド溝の中には前記第二スライダーと固定的に接続される第三スライダーがスライドできるように設けられ、前記第三スライダーと前記第三スライド溝の頂壁との間には第二バネが固定的に接続され、前記液晶モニターパネルの頂端には長方形ソケットが固定的に設けられ、前記プラグは前記長方形ソケットと係合されてデータ情報を送信することができ、それにより第一スライダーはプラグを連動させて長方形ソケットと係合し、液晶モニターパネルをパターンに表示させ、同時にスライド板のスライド距離を制限することを特徴とする請求項１に記載の自動車天井ライナー装飾パネル。
【請求項３】
前記第一スライド溝の左端には回転チャンバが連通して設けられ、前記回転チャンバの内頂壁には第一接点が固定的に設けられ、前記回転チャンバの左側の内壁には第二接点が固定的に設けられ、前記回転チャンバの右側の内壁には第三接点が固定的に設けられ、前記第一接点、前記第二接点および前記第三接点は外部電源と接続され、前記回転チャンバの中には第五回転軸が回転できるように設けられ、前記第五回転軸には第二円盤および前記第二円盤の後側に位置する扇形導電シートが固定的に設けられ、前記扇形導電シートおよび前記通常閉型スイッチはそれぞれ前記駆動モータと電気的に接続され、前記第二円盤と第一スライダーとの間にはヒンジ接続ロッドがヒンジで接続され、従ってヒンジ接続ロッドは扇形導電シート１３を連動させて偏向回転させ、扇形導電シートは偏向回転した後、駆動モータ５７の電流回路の方向を変えることを特徴とする請求項１に記載の自動車天井ライナー装飾パネル。
【発明の詳細な説明】
【技術分野】
【０００１】
本発明は自動車装飾分野を取り上げて、具体的には自動車天井ライナー装飾パネルである。
【背景技術】
【０００２】
伝統的な自動車天井ライナー装飾パネルは、色が単調で、装飾的な効果がはっきりしておらず、機能が単一で、天井には装飾的なスペースがたくさんあり、さらに現代の自動車はママルチメディア化を重視し、旅路では、オーディオやビデオのエンターテイメント機能が必要であり、  上記の問題を解決するためには、自動車天井ライナー装飾パネルを設計する必要がある。
【先行技術文献】
【特許文献】
【０００３】
【特許文献１】中国特許出願公開第１０６３３５４４６号明細書
【発明の概要】
【発明が解決しようとする課題】
【０００４】
本発明の解決すべきの問題は自動車天井ライナー装飾パネルを提供し、上記の現有技術の欠点を解決する。
【課題を解決するための手段】
【０００５】
本発明の自動車天井ライナー装飾パネルは、装飾パネルを含み、前記装飾パネルの頂端にはゴムテープが設けられ、前記装飾パネルの右端には下に開口した第一空きチャンバが設けられ、前記第一空きチャンバの左側の内壁には収納チャンバが設けられ、前記収納チャンバには三組の前後対称的な第一回転軸が回転できるように係合取り付けられ、前記第一回転軸には第一円盤が固定的に設けられ、前記第一円盤の外部表面には摩擦ベルトが固定的に設けられ、前記収納チャンバの中にはスライド板がスライドできるように設けられ、前記スライド板の左端には押しロッドが固定的に設けられ、前記収納チャンバの左端には通常閉型スイッチが固定的に設けられ、通常閉型スイッチ前記押しロッドの前後の端面には外に開口し且つ前記第一円盤に挿し込ませられる凹溝が対称的に設けられ、前記スライド板の底端には液晶モニターパネルが固定的に設けられ、前記スライド板の頂端には第一ラックが固定的に設けられ、前記第一空きチャンバの中には第二回転軸と第三回転軸が回転できるように設けられ、前記第三回転軸は前記第二回転軸の右上に位置し、前記第二回転軸には第一プーリおよび前記第一プーリの後側に位置する第一歯車が固定的に設けられ、前記第一歯車は前記第一ラックと噛み合い、前記第三回転軸には固定ブロックが固定的に設けられ、前記固定ブロックの頂端にはプロジェクターが固定的に設けられ、前記固定ブロックの右端には凸ブロックが固定的に設けられ、前記第一空きチャンバの内頂壁には第一弧形溝が設けられ、前記第一弧形溝の内頂壁にはフリクションシートが固定的に設けられ、前記収納チャンバの頂端には前記第一空きチャンバと連通する第二空きチャンバが設けられ、前記第二空きチャンバの後側端壁には駆動モータが固定的に設けられ、前記駆動モータは第四回転軸が伝動できるように接続され、前記第四回転軸には第二プーリおよび前記第二プーリの後側に位置する扇形歯車が固定的に設けられ、前記第二プーリと前記第一プーリとの間がベルトによって伝動できるように接続され、前記第二空きチャンバの内頂壁には第一スライド溝が設けられ、前記第一スライド溝の中には第一スライダーがスライドできるように設けられ、前記第一スライド溝の右側の内壁には前記第一スライダーと固定的に接続される第一バネが設けられ、前記第一スライダーの底端には第二ラックが固定的に設けられ、前記第二ラックと前記扇形歯車が噛み合う。
【０００６】
有益的には、前記第一空きチャンバの右側の内壁にはＣＮＣブロックが固定的に設けられ、前記ＣＮＣブロックの左側端面には前記第一空きチャンバと連通する第二弧形溝が設けられ、前記ＣＮＣブロックの中には下に開口した第二スライド溝が設けられ、前記第二スライド溝と前記第二弧形溝との間には密封気圧溝が連通して設けられ、前記密封気圧溝の中には押されブロックがスライドできるように設けられ、前記第二スライド溝の中には第二スライダーがスライドできるように密封して設けられ、前記第二スライダーの底端にはプラグが固定的に設けられ、前記第二スライド溝の左側端壁の中には第三スライド溝が設けられ、前記第三スライド溝の中には前記第二スライダーと固定的に接続される第三スライダーがスライドできるように設けられ、前記第三スライダーと前記第三スライド溝の頂壁との間には第二バネが固定的に接続され、前記液晶モニターパネルの頂端には長方形ソケットが固定的に設けられ、前記プラグは前記長方形ソケットと係合されてデータ情報を送信することができる。
【０００７】
有益的には、前記第一スライド溝の左端には回転チャンバが連通して設けられ、前記回転チャンバの内頂壁には第一接点が固定的に設けられ、前記回転チャンバの左側の内壁には第二接点が固定的に設けられ、前記回転チャンバの右側の内壁には第三接点が固定的に設けられ、前記第一接点、前記第二接点および前記第三接点は外部電源と接続され、前記回転チャンバの中には第五回転軸が回転できるように設けられ、前記第五回転軸には第二円盤および前記第二円盤の後側に位置する扇形導電シートが固定的に設けられ、前記扇形導電シートおよび前記通常閉型スイッチはそれぞれ前記駆動モータと電気的に接続され、前記第二円盤と第一スライダーとの間にはヒンジ接続ロッドがヒンジで接続される。
【発明の効果】
【０００８】
本発明の有益な効果は下記の通りである：
【０００９】
本発明の自動車天井ライナー装飾パネルは、反応が敏感で、機能が豊富で、安全性が堅固で、本発明の装置がシンプルで、科学および技術が豊富で実用性が強い。
【図面の簡単な説明】
【００１０】
説明しやすいため、本発明は以下の具体的な実施例と付図を交え詳しく説明する。
【００１１】
【図１】図１は本発明の自動車天井ライナー装飾パネルの全体結構模式図であり；
【図２】図２は図１の「Ａ」の拡大結構模式図であり；
【発明を実施するための形態】
【００１２】
以下に図１−２を交えて本発明について詳しく説明し、便利に叙述するため、現在は後文に出る方位を下記の通りに規定する：後文に出る上下左右前後方向は図１本体の投影関係の上下左右前後方向と一致する。
【００１３】
図１  −  ２に示すように、本発明の自動車天井ライナー装飾パネルは、装飾パネル１１を含み、前記装飾パネル１１の頂端にはゴムテープ１０が設けられ、前記装飾パネル１１の右端には下に開口した第一空きチャンバ４６が設けられ、前記第一空きチャンバ４６の左側の内壁には収納チャンバ１９が設けられ、前記収納チャンバ１９には三組の前後対称的な第一回転軸２２が回転できるように係合取り付けられ、前記第一回転軸２２には第一円盤２１が固定的に設けられ、前記第一円盤２１の外部表面には摩擦ベルト２０が固定的に設けられ、前記収納チャンバ１９の中にはスライド板２５がスライドできるように設けられ、前記スライド板２５の左端には押しロッド２３が固定的に設けられ、前記収納チャンバ１９の左端には通常閉型スイッチ１８が固定的に設けられ、通常閉型スイッチ前記押しロッド２３の前後の端面には外に開口し且つ前記第一円盤２１に挿し込ませられる凹溝２４が対称的に設けられ、前記スライド板２５の底端には液晶モニターパネル２６が固定的に設けられ、前記スライド板２５の頂端には第一ラック２７が固定的に設けられ、前記第一空きチャンバ４６の中には第二回転軸４９と第三回転軸４１が回転できるように設けられ、前記第三回転軸４１は前記第二回転軸４９の右上に位置し、前記第二回転軸４９には第一プーリ４８および前記第一プーリ４８の後側に位置する第一歯車４７が固定的に設けられ、前記第一歯車４７は前記第一ラックと噛み合い、前記第三回転軸４１には固定ブロック４２が固定的に設けられ、前記固定ブロック４２の頂端にはプロジェクター４３が固定的に設けられ、前記固定ブロック４２の右端には凸ブロック２９が固定的に設けられ、前記第一空きチャンバ４６の内頂壁には第一弧形溝４５が設けられ、前記第一弧形溝４５の内頂壁にはフリクションシート４４が固定的に設けられ、前記収納チャンバ１９の頂端には前記第一空きチャンバ４６と連通する第二空きチャンバ５２が設けられ、前記第二空きチャンバ５２の後側端壁には駆動モータ５７が固定的に設けられ、前記駆動モータ５７は第四回転軸６０が伝動できるように接続され、前記第四回転軸６０には第二プーリ５９および前記第二プーリ５９の後側に位置する扇形歯車５６が固定的に設けられ、前記第二プーリ５９と前記第一プーリ４８との間がベルト５８によって伝動できるように接続され、前記第二空きチャンバ５２の内頂壁には第一スライド溝５１が設けられ、前記第一スライド溝５１の中には第一スライダー５３がスライドできるように設けられ、前記第一スライド溝５１の右側の内壁には前記第一スライダー５３と固定的に接続される第一バネ５０が設けられ、前記第一スライダー５３の底端には第二ラック５５が固定的に設けられ、前記第二ラック５５と前記扇形歯車５６が噛み合う。
【００１４】
有益的には、前記第一空きチャンバ４６の右側の内壁にはＣＮＣブロック４０が固定的に設けられ、前記ＣＮＣブロック４０の左側端面には前記第一空きチャンバ４６と連通する第二弧形溝３９が設けられ、前記ＣＮＣブロック４０の中には下に開口した第二スライド溝３６が設けられ、前記第二スライド溝３６と前記第二弧形溝３９との間には密封気圧溝３７が連通して設けられ、前記密封気圧溝３７の中には押されブロック３８がスライドできるように設けられ、前記第二スライド溝３６の中には第二スライダー３５がスライドできるように密封して設けられ、前記第二スライダー３５の底端にはプラグ３１が固定的に設けられ、前記第二スライド溝３６の左側端壁の中には第三スライド溝３２が設けられ、前記第三スライド溝３２の中には前記第二スライダー３５と固定的に接続される第三スライダー３３がスライドできるように設けられ、前記第三スライダー３３と前記第三スライド溝３２の頂壁との間には第二バネ３４が固定的に接続され、前記液晶モニターパネル２６の頂端には長方形ソケット３０が固定的に設けられ、前記プラグ３１は前記長方形ソケット３０と係合されてデータ情報を送信することができる。
【００１５】
有益的には、前記第一スライド溝５１の左端には回転チャンバ１４が連通して設けられ、前記回転チャンバ１４の内頂壁には第一接点１２が固定的に設けられ、前記回転チャンバ１４の左側の内壁には第二接点１７が固定的に設けられ、前記回転チャンバ１４の右側の内壁には第三接点６１が固定的に設けられ、前記第一接点１２、前記第二接点１７および前記第三接点６１は外部電源と接続され、前記回転チャンバ１４の中には第五回転軸１６が回転できるように設けられ、前記第五回転軸１６には第二円盤１５および前記第二円盤１５の後側に位置する扇形導電シート１３が固定的に設けられ、前記扇形導電シート１３および前記通常閉型スイッチ１８はそれぞれ前記駆動モータ５７と電気的に接続され、前記第二円盤１５と第一スライダー５３との間にはヒンジ接続ロッド５４がヒンジで接続される。
【００１６】
次は、図１  −  ３および上記に記述された本願発明の自動車天井ライナー装飾パネルの具体的な構成を参考にし、その使用方法を詳しく紹介する。
【００１７】
まず、初期状態では、第一接点１２は第二接点１７と接続されて逆回路を形成し、第一接点１２は第三接点６１と接続されて順方向回路を形成し、第一接点１２、第二接点１７および第三接点６１は駆動モータ５７の中の電流回路を制御する。
【００１８】
ゴムテープ１０を自動車の天井に貼り付け、装飾パネル１１は車室の頂端に固定され、オーディオとビデオのエンターテイメントを利用しないときは、スライド板２５は第一空きチャンバ４６を閉じ、凸ブロック２９は押されブロック３８を押し、押されブロック３８は第二スライダー３５を連動させて下方にスライドさせ、第二スライダー３５はプラグ３１を連動させて長方形ソケットに挿し込ませ、このとき、ＣＮＣブロック４０は液晶モニターパネル２６を制御することができ、液晶モニターパネル２６はプリセット装飾模様を表示する。
【００１９】
オーディオとビデオのエンターテイメント機能を利用するときは、駆動モータ５７を始動し、駆動モータ５７は第二プーリ５９と扇形歯車５６を回転連動させ、第二プーリ５９がベルト５８によって第一プーリ４８を回転連動させ、第一プーリ４８は第一歯車４７を回転連動させ、第一歯車４７は第一ラック２７によってスライド板２５を連動させて収納チャンバ１９の中に縮ませ、第一歯車４７は第二歯車２８を回転連動させ、第二歯車２８は固定ブロック４２を回転連動させ、固定ブロック４２はプロジェクター４３と凸ブロック２９を回転連動させ、凸ブロック２９が回転した後に押されブロック３８を押圧しなくなり、プラグ３１のロックが解除されて第二バネ３４の弾性力を受けて上方にスライドし、スライド板２５のスライド距離制限が解除され、プロジェクタ４３を回転させた後に投影操作を実行できる；
【００２０】
それと同時に、押しロッド２３は通常閉型スイッチ１８をプッシュし、駆動モータ５７は駆動を停止し、扇形歯車５６は慣性力で第一スライダー５３を連動させて右にスライドさせ、第一スライダー５３はヒンジ接続ロッド５４によって第二円盤１５を連動させて偏向回転させ、第二円盤１５は扇形は扇形導電シート１３を連動させて偏向回転させ、扇形導電シートは偏向回転した後、駆動モータ５７の電流回路の方向を変える。
【００２１】
凸ブロック２９とフリクションシート４４が係合され始めると、慣性運動状態を解除し、プロジェクター４３は回転を停止し、ビデオプロジェクションを行い、スライド板２５をゆっくり右にスライドさせ、この時、駆動モータ５７は逆回路によって逆転し、スライド板２５は右にスライドして前記第一空きチャンバ４６を再び閉じると、装置は初期位置に戻る。
【００２２】
以上に述べたように、本発明の自動車天井ライナー装飾パネルは、反応が敏感で、機能が豊富で、安全性が堅固で、本発明の装置がシンプルで、科学および技術が豊富で実用性が強い。  
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。            
【図１】
2020142780.tif 000003
【図２】
2020142780.tif 000004
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
装飾パネルを含み、前記装飾パネルの頂端にはゴムテープが設けられ、前記装飾パネルの内側の右端には下に開口した第一空きチャンバが設けられ、前記第一空きチャンバの左側の内壁には収納チャンバが設けられ、前記収納チャンバには三組の第一回転軸が回転できるように係合取り付けられ、前記第一回転軸には第一円盤が固定的に設けられ、前記第一円盤の外部表面には摩擦ベルトが固定的に設けられ、前記収納チャンバの中にはスライド板がスライドできるように設けられ、前記スライド板の左端には押しロッドが固定的に設けられ、前記収納チャンバの左端には通常閉型スイッチが固定的に設けられ、通常閉型スイッチ前記押しロッドの前後の端面には外に開口し且つ前記第一円盤に挿し込ませられる凹溝が対称的に設けられ、前記スライド板の底端には液晶モニターパネルが固定的に設けられ、前記スライド板の頂端には第一ラックが固定的に設けられ、前記第一空きチャンバの中には第二回転軸と第三回転軸が回転できるように設けられ、前記第三回転軸は前記第二回転軸の右上に位置し、前記第二回転軸には第一プーリおよび前記第一プーリの後側に位置する第一歯車が固定的に設けられ、前記第一歯車は前記第一ラックと噛み合い、前記第三回転軸には固定ブロックが固定的に設けられ、前記固定ブロックの頂端にはプロジェクターが固定的に設けられ、前記固定ブロックの右端には凸ブロックが固定的に設けられ、前記第一空きチャンバの内頂壁には第一弧形溝が設けられ、前記第一弧形溝の内頂壁にはフリクションシートが固定的に設けられ、前記収納チャンバの頂端には前記第一空きチャンバと連通する第二空きチャンバが設けられ、前記第二空きチャンバの後側端壁には駆動モータが固定的に設けられ、前記駆動モータは第四回転軸が伝動できるように接続され、前記第四回転軸には第二プーリおよび前記第二プーリの後側に位置する扇形歯車が固定的に設けられ、前記第二プーリと前記第一プーリとの間がベルトによって伝動できるように接続され、前記第二空きチャンバの内頂壁には第一スライド溝が設けられ、前記第一スライド溝の中には第一スライダーがスライドできるように設けられ、前記第一スライド溝の右側の内壁には前記第一スライダーと固定的に接続される第一バネが設けられ、前記第一スライダーの底端には第二ラックが固定的に設けられ、前記第二ラックと前記扇形歯車が噛み合っており、
前記第一空きチャンバの右側の内壁にはＣＮＣブロックが固定的に設けられ、前記ＣＮＣブロックの左側端面には前記第一空きチャンバと連通する第二弧形溝が設けられ、前記ＣＮＣブロックの中には下に開口した第二スライド溝が設けられ、前記第二スライド溝と前記第二弧形溝との間には密封気圧溝が連通して設けられ、前記密封気圧溝の中には押されブロックがスライドできるように設けられ、前記第二スライド溝の中には第二スライダーがスライドできるように密封して設けられ、前記第二スライダーの底端にはプラグが固定的に設けられ、前記第二スライド溝の左側端壁の中には第三スライド溝が設けられ、前記第三スライド溝の中には前記第二スライダーと固定的に接続される第三スライダーがスライドできるように設けられ、前記第三スライダーと前記第三スライド溝の頂壁との間には第二バネが固定的に接続され、前記液晶モニターパネルの頂端には長方形ソケットが固定的に設けられ、前記プラグは前記長方形ソケットと係合されてデータ情報を送信することができ、
前記第一スライド溝の左端には回転チャンバが連通して設けられ、前記回転チャンバの内頂壁には第一接点が固定的に設けられ、前記回転チャンバの左側の内壁には第二接点が固定的に設けられ、前記回転チャンバの右側の内壁には第三接点が固定的に設けられ、前記第一接点、前記第二接点および前記第三接点は外部電源と接続され、前記回転チャンバの中には第五回転軸が回転できるように設けられ、前記第五回転軸には第二円盤および前記第二円盤の後側に位置する扇形導電シートが固定的に設けられ、前記扇形導電シートおよび前記通常閉型スイッチはそれぞれ前記駆動モータと電気的に接続され、前記第二円盤と第一スライダーとの間にはヒンジ接続ロッドがヒンジで接続され、従ってヒンジ接続ロッドは扇形導電シート１３を連動させて偏向回転させ、扇形導電シートは偏向回転した後、駆動モータ５７の電流回路の方向を変えることを特徴とする自動車天井ライナー装飾パネル。
【手続補正２】
【補正対象書類名】明細書
【補正対象項目名】全文
【補正方法】変更
【補正の内容】
【発明の詳細な説明】
【技術分野】
【０００１】
本発明は自動車装飾分野を取り上げて、具体的には自動車天井ライナー装飾パネルである。
【背景技術】
【０００２】
伝統的な自動車天井ライナー装飾パネルは、色が単調で、装飾的な効果がはっきりしておらず、機能が単一で、天井には装飾的なスペースがたくさんあり、さらに現代の自動車はママルチメディア化を重視し、旅路では、オーディオやビデオのエンターテイメント機能が必要であり、  上記の問題を解決するためには、自動車天井ライナー装飾パネルを設計する必要がある。
【先行技術文献】
【特許文献】
【０００３】
【特許文献１】中国特許出願公開第１０６３３５４４６号明細書
【発明の概要】
【発明が解決しようとする課題】
【０００４】
本発明の解決すべきの問題は自動車天井ライナー装飾パネルを提供し、上記の現有技術の欠点を解決する。
【課題を解決するための手段】
【０００５】
本発明の自動車天井ライナー装飾パネルは、装飾パネルを含み、前記装飾パネルの頂端にはゴムテープが設けられ、前記装飾パネルの内側の右端には下に開口した第一空きチャンバが設けられ、前記第一空きチャンバの左側の内壁には収納チャンバが設けられ、前記収納チャンバには三組の第一回転軸が回転できるように係合取り付けられ、前記第一回転軸には第一円盤が固定的に設けられ、前記第一円盤の外部表面には摩擦ベルトが固定的に設けられ、前記収納チャンバの中にはスライド板がスライドできるように設けられ、前記スライド板の左端には押しロッドが固定的に設けられ、前記収納チャンバの左端には通常閉型スイッチが固定的に設けられ、通常閉型スイッチ前記押しロッドの前後の端面には外に開口し且つ前記第一円盤に挿し込ませられる凹溝が対称的に設けられ、前記スライド板の底端には液晶モニターパネルが固定的に設けられ、前記スライド板の頂端には第一ラックが固定的に設けられ、前記第一空きチャンバの中には第二回転軸と第三回転軸が回転できるように設けられ、前記第三回転軸は前記第二回転軸の右上に位置し、前記第二回転軸には第一プーリおよび前記第一プーリの後側に位置する第一歯車が固定的に設けられ、前記第一歯車は前記第一ラックと噛み合い、前記第三回転軸には固定ブロックが固定的に設けられ、前記固定ブロックの頂端にはプロジェクターが固定的に設けられ、前記固定ブロックの右端には凸ブロックが固定的に設けられ、前記第一空きチャンバの内頂壁には第一弧形溝が設けられ、前記第一弧形溝の内頂壁にはフリクションシートが固定的に設けられ、前記収納チャンバの頂端には前記第一空きチャンバと連通する第二空きチャンバが設けられ、前記第二空きチャンバの後側端壁には駆動モータが固定的に設けられ、前記駆動モータは第四回転軸が伝動できるように接続され、前記第四回転軸には第二プーリおよび前記第二プーリの後側に位置する扇形歯車が固定的に設けられ、前記第二プーリと前記第一プーリとの間がベルトによって伝動できるように接続され、前記第二空きチャンバの内頂壁には第一スライド溝が設けられ、前記第一スライド溝の中には第一スライダーがスライドできるように設けられ、前記第一スライド溝の右側の内壁には前記第一スライダーと固定的に接続される第一バネが設けられ、前記第一スライダーの底端には第二ラックが固定的に設けられ、前記第二ラックと前記扇形歯車が噛み合う。
【０００６】
有益的には、前記第一空きチャンバの右側の内壁にはＣＮＣブロックが固定的に設けられ、前記ＣＮＣブロックの左側端面には前記第一空きチャンバと連通する第二弧形溝が設けられ、前記ＣＮＣブロックの中には下に開口した第二スライド溝が設けられ、前記第二スライド溝と前記第二弧形溝との間には密封気圧溝が連通して設けられ、前記密封気圧溝の中には押されブロックがスライドできるように設けられ、前記第二スライド溝の中には第二スライダーがスライドできるように密封して設けられ、前記第二スライダーの底端にはプラグが固定的に設けられ、前記第二スライド溝の左側端壁の中には第三スライド溝が設けられ、前記第三スライド溝の中には前記第二スライダーと固定的に接続される第三スライダーがスライドできるように設けられ、前記第三スライダーと前記第三スライド溝の頂壁との間には第二バネが固定的に接続され、前記液晶モニターパネルの頂端には長方形ソケットが固定的に設けられ、前記プラグは前記長方形ソケットと係合されてデータ情報を送信することができる。
【０００７】
有益的には、前記第一スライド溝の左端には回転チャンバが連通して設けられ、前記回転チャンバの内頂壁には第一接点が固定的に設けられ、前記回転チャンバの左側の内壁には第二接点が固定的に設けられ、前記回転チャンバの右側の内壁には第三接点が固定的に設けられ、前記第一接点、前記第二接点および前記第三接点は外部電源と接続され、前記回転チャンバの中には第五回転軸が回転できるように設けられ、前記第五回転軸には第二円盤および前記第二円盤の後側に位置する扇形導電シートが固定的に設けられ、前記扇形導電シートおよび前記通常閉型スイッチはそれぞれ前記駆動モータと電気的に接続され、前記第二円盤と第一スライダーとの間にはヒンジ接続ロッドがヒンジで接続される。
【発明の効果】
【０００８】
本発明の有益な効果は下記の通りである：
【０００９】
本発明の自動車天井ライナー装飾パネルは、反応が敏感で、機能が豊富で、安全性が堅固で、本発明の装置がシンプルで、科学および技術が豊富で実用性が強い。
【図面の簡単な説明】
【００１０】
説明しやすいため、本発明は以下の具体的な実施例と付図を交え詳しく説明する。
【００１１】
【図１】図１は本発明の自動車天井ライナー装飾パネルの全体結構模式図
【図２】図２は図１の「Ａ」の拡大結構模式図
【発明を実施するための形態】
【００１２】
以下に図１−２を交えて本発明について詳しく説明し、本願に記載の各方向が、図１と同じ向きに本願発明を見た際の方向である。。
【００１３】
図１−２に示すように、本発明の自動車天井ライナー装飾パネルは、装飾パネル１１を含み、前記装飾パネル１１の頂端にはゴムテープ１０が設けられ、前記装飾パネル１１の内側の右端には下に開口した第一空きチャンバ４６が設けられ、前記第一空きチャンバ４６の左側の内壁には収納チャンバ１９が設けられ、前記収納チャンバ１９には三組の第一回転軸２２が回転できるように係合取り付けられ、前記第一回転軸２２には第一円盤２１が固定的に設けられ、前記第一円盤２１の外部表面には摩擦ベルト２０が固定的に設けられ、前記収納チャンバ１９の中にはスライド板２５がスライドできるように設けられ、前記スライド板２５の左端には押しロッド２３が固定的に設けられ、前記収納チャンバ１９の左端には通常閉型スイッチ１８が固定的に設けられ、通常閉型スイッチ前記押しロッド２３の前後の端面には外に開口し且つ前記第一円盤２１に挿し込ませられる凹溝２４が対称的に設けられ、前記スライド板２５の底端には液晶モニターパネル２６が固定的に設けられ、前記スライド板２５の頂端には第一ラック２７が固定的に設けられ、前記第一空きチャンバ４６の中には第二回転軸４９と第三回転軸４１が回転できるように設けられ、前記第三回転軸４１は前記第二回転軸４９の右上に位置し、前記第二回転軸４９には第一プーリ４８および前記第一プーリ４８の後側に位置する第一歯車４７が固定的に設けられ、前記第一歯車４７は前記第一ラックと噛み合い、前記第三回転軸４１には固定ブロック４２が固定的に設けられ、前記固定ブロック４２の頂端にはプロジェクター４３が固定的に設けられ、前記固定ブロック４２の右端には凸ブロック２９が固定的に設けられ、前記第一空きチャンバ４６の内頂壁には第一弧形溝４５が設けられ、前記第一弧形溝４５の内頂壁にはフリクションシート４４が固定的に設けられ、前記収納チャンバ１９の頂端には前記第一空きチャンバ４６と連通する第二空きチャンバ５２が設けられ、前記第二空きチャンバ５２の後側端壁には駆動モータ５７が固定的に設けられ、前記駆動モータ５７は第四回転軸６０が伝動できるように接続され、前記第四回転軸６０には第二プーリ５９および前記第二プーリ５９の後側に位置する扇形歯車５６が固定的に設けられ、前記第二プーリ５９と前記第一プーリ４８との間がベルト５８によって伝動できるように接続され、前記第二空きチャンバ５２の内頂壁には第一スライド溝５１が設けられ、前記第一スライド溝５１の中には第一スライダー５３がスライドできるように設けられ、前記第一スライド溝５１の右側の内壁には前記第一スライダー５３と固定的に接続される第一バネ５０が設けられ、前記第一スライダー５３の底端には第二ラック５５が固定的に設けられ、前記第二ラック５５と前記扇形歯車５６が噛み合う。
【００１４】
有益的には、前記第一空きチャンバ４６の右側の内壁にはＣＮＣブロック４０が固定的に設けられ、前記ＣＮＣブロック４０の左側端面には前記第一空きチャンバ４６と連通する第二弧形溝３９が設けられ、前記ＣＮＣブロック４０の中には下に開口した第二スライド溝３６が設けられ、前記第二スライド溝３６と前記第二弧形溝３９との間には密封気圧溝３７が連通して設けられ、前記密封気圧溝３７の中には押されブロック３８がスライドできるように設けられ、前記第二スライド溝３６の中には第二スライダー３５がスライドできるように密封して設けられ、前記第二スライダー３５の底端にはプラグ３１が固定的に設けられ、前記第二スライド溝３６の左側端壁の中には第三スライド溝３２が設けられ、前記第三スライド溝３２の中には前記第二スライダー３５と固定的に接続される第三スライダー３３がスライドできるように設けられ、前記第三スライダー３３と前記第三スライド溝３２の頂壁との間には第二バネ３４が固定的に接続され、前記液晶モニターパネル２６の頂端には長方形ソケット３０が固定的に設けられ、前記プラグ３１は前記長方形ソケット３０と係合されてデータ情報を送信することができる。
【００１５】
有益的には、前記第一スライド溝５１の左端には回転チャンバ１４が連通して設けられ、前記回転チャンバ１４の内頂壁には第一接点１２が固定的に設けられ、前記回転チャンバ１４の左側の内壁には第二接点１７が固定的に設けられ、前記回転チャンバ１４の右側の内壁には第三接点６１が固定的に設けられ、前記第一接点１２、前記第二接点１７および前記第三接点６１は外部電源と接続され、前記回転チャンバ１４の中には第五回転軸１６が回転できるように設けられ、前記第五回転軸１６には第二円盤１５および前記第二円盤１５の後側に位置する扇形導電シート１３が固定的に設けられ、前記扇形導電シート１３および前記通常閉型スイッチ１８はそれぞれ前記駆動モータ５７と電気的に接続され、前記第二円盤１５と第一スライダー５３との間にはヒンジ接続ロッド５４がヒンジで接続される。
【００１６】
次は、図１−３および上記に記述された本願発明の自動車天井ライナー装飾パネルの具体的な構成を参考にし、その使用方法を詳しく紹介する。
【００１７】
まず、初期状態では、第一接点１２は第二接点１７と接続されて逆回路を形成し、第一接点１２は第三接点６１と接続されて順方向回路を形成し、第一接点１２、第二接点１７および第三接点６１は駆動モータ５７の中の電流回路を制御する。
【００１８】
ゴムテープ１０を自動車の天井に貼り付け、装飾パネル１１は車室の頂端に固定され、オーディオとビデオのエンターテイメントを利用しないときは、スライド板２５は第一空きチャンバ４６を閉じ、凸ブロック２９は押されブロック３８を押し、押されブロック３８は第二スライダー３５を連動させて下方にスライドさせ、第二スライダー３５はプラグ３１を連動させて長方形ソケットに挿し込ませ、このとき、ＣＮＣブロック４０は液晶モニターパネル２６を制御することができ、液晶モニターパネル２６はプリセット装飾模様を表示する。
【００１９】
オーディオとビデオのエンターテイメント機能を利用するときは、駆動モータ５７を始動し、駆動モータ５７は第二プーリ５９と扇形歯車５６を回転連動させ、第二プーリ５９がベルト５８によって第一プーリ４８を回転連動させ、第一プーリ４８は第一歯車４７を回転連動させ、第一歯車４７は第一ラック２７によってスライド板２５を連動させて収納チャンバ１９の中に縮ませ、第一歯車４７は第二歯車２８を回転連動させ、第二歯車２８は固定ブロック４２を回転連動させ、固定ブロック４２はプロジェクター４３と凸ブロック２９を回転連動させ、凸ブロック２９が回転した後に押されブロック３８を押圧しなくなり、プラグ３１のロックが解除されて第二バネ３４の弾性力を受けて上方にスライドし、スライド板２５のスライド距離制限が解除され、プロジェクタ４３を回転させた後に投影操作を実行できる。
【００２０】
それと同時に、押しロッド２３は通常閉型スイッチ１８をプッシュし、駆動モータ５７は駆動を停止し、扇形歯車５６は慣性力で第一スライダー５３を連動させて右にスライドさせ、第一スライダー５３はヒンジ接続ロッド５４によって第二円盤１５を連動させて偏向回転させ、第二円盤１５は扇形は扇形導電シート１３を連動させて偏向回転させ、扇形導電シートは偏向回転した後、駆動モータ５７の電流回路の方向を変える。
【００２１】
凸ブロック２９とフリクションシート４４が係合され始めると、慣性運動状態を解除し、プロジェクター４３は回転を停止し、ビデオプロジェクションを行い、スライド板２５をゆっくり右にスライドさせ、この時、駆動モータ５７は逆回路によって逆転し、スライド板２５は右にスライドして前記第一空きチャンバ４６を再び閉じると、装置は初期位置に戻る。
【００２２】
以上に述べたように、本発明の自動車天井ライナー装飾パネルは、反応が敏感で、機能が豊富で、安全性が堅固で、本発明の装置がシンプルで、科学および技術が豊富で実用性が強い。  
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。